【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
所定の波長領域である感度領域に含まれる光を受光したときに光電変換を行って第１の信号を生成する素子であって、前記感度領域が互いに異なる複数種類の前記素子を含み、被写体像に基づく前記第１の信号を含む画像データを生成する撮像部と、
互いに波長が異なる狭スペクトル光を射出する複数の光源を含む光源部であって、前記撮像部に含まれる前記複数種類の素子の何れの前記感度領域にも、それぞれ少なくとも１つの前記狭スペクトル光の波長が含まれるように前記狭スペクトル光の波長が設定されている前記光源部と、
前記画像データに基づいて、カラー画像を表す表示データを生成する画像処理部と、
前記カラー画像の色再現性が高くなるように、前記複数の光源の各々の光量を個別に調整する光量調整部と、
を具備する観察装置。
【請求項２】
前記光量調整部は、
前記第１の信号の強度分布に基づいて決定される第１の特徴値を算出する第１の特徴値算出部と、
前記カラー画像の色再現性が高くなるような前記第１の特徴値となるように、前記光量を決定する光量決定部と、
を含む、請求項１に記載の観察装置。
【請求項３】
前記画像処理部は、前記画像データと前記光量とに基づいて、前記表示データを生成する、請求項２に記載の観察装置。
【請求項４】
前記光源部に含まれる前記複数の光源のうち少なくとも１つはレーザ光源である、請求項２又は３に記載の観察装置。
【請求項５】
前記光量調整部は、時間的に連続して前記光量の調整を行う、請求項２乃至４のうち何れか１項に記載の観察装置。
【請求項６】
前記光量調整部は、
前記第１の特徴値に基づいて、前記複数の光源の各々の出力補正に関する特徴を示す第２の特徴値を算出する第２の特徴値算出部と、
所定の基準値を記憶する記憶部と、
をさらに含み、
前記光量決定部は、調整前の前記光量をＬ１、調整後の前記光量をＬ２、前記基準値をＳ、前記第２の特徴値をＣ２としたときに、前記Ｌ２を
Ｌ２＝Ｌ１×Ｓ／Ｃ２
によって算出する、
請求項２乃至５のうち何れか１項に記載の観察装置。
【請求項７】
前記感度領域毎に前記感度領域が同一である前記素子を素子群としたときに、
前記第１の特徴値は、前記素子群に含まれる素子が生成した前記第１の信号の平均値の０．５倍以上１．５倍以下の値であり、
前記基準値は、前記素子が有する出力信号のダイナミックレンジの中心値の０．５倍以上１．５倍以下の値である、
請求項６に記載の観察装置。
【請求項８】
前記複数の光源は、
前記狭スペクトル光の波長が１つの前記感度領域のみに含まれる第１の光源群と、
前記狭スペクトル光の波長が２つ以上の前記感度領域に含まれる第２の光源群と、
を含み、
前記第１の光源群に対応する前記第２の特徴値は、前記光源が射出する前記狭スペクトル光の波長を含む前記感度領域を有する前記素子群に係る前記第１の特徴値であり、
前記第２の光源群に対応する前記第２の特徴値は、前記光源が射出する前記狭スペクトル光の波長を含む前記感度領域を有する前記素子群に係る２つ以上の前記第１の特徴値の平均値である、
請求項７に記載の観察装置。
【請求項９】
前記複数種類の前記素子は、前記感度領域毎にドミナント波長を有しており、
注目する前記光源が射出する前記狭スペクトル光の波長に対して、最も近い前記ドミナント波長をλＣＦ１とし、２番目に近い前記ドミナント波長をλＣＦ２とし、
前記最も近いドミナント波長に対応する前記第１の特徴値をＣＣＦ１とし、
前記２番目に近いドミナント波長に対応する前記第１の特徴値をＣＣＦ２とし、
前記注目する前記光源が射出する前記狭スペクトル光の波長をλＬＳとし、
前記注目する前記光源に関する前記第２の特徴値をＣＬＳとしたときに、
CLS＝(CCF1−CCF2)／(λCF1−λCF2)×λLS
＋CCF1−(CCF1−CCF2)／(λCF1−λCF2)×λCF1
である、
請求項６又は７に記載の観察装置。
【請求項１０】
前記光量調整部は、
前記第１の特徴値に基づいて、前記複数の光源の各々の出力補正に関する特徴を示す第２の特徴値を算出する第２の特徴値算出部と、
所定の基準値を記憶する記憶部と、
をさらに含み、
前記感度領域毎に前記感度領域が同一である前記素子を素子群としたときに、
前記第１の特徴値は、前記素子群に含まれる素子が生成した前記第１の信号の平均値の０．５倍以上１．５倍以下の値であり、
前記素子群に入射する光量の平均の推定値である平均光量推定値をＬｉ１とし、前記第１の特徴値をＣ１とし、前記素子群の前記感度領域に含まれるドミナント波長における前記素子の感度をＫＤとし、露光時間をｔとしたときに、前記Ｌｉ１は、
Ｌｉ１＝Ｃ１／ＫＤ／ｔ
によって算出され、
前記基準値は、前記素子が有する出力信号のダイナミックレンジの中心値の０．５倍以上１．５倍以下であるＲｃｅｎｔｅｒであり、
前記素子群に含まれる前記素子が正確に光電変換できる受光量の範囲の中心値をＲ１としたときに、Ｒ１は、
Ｒ１＝Ｒｃｅｎｔｅｒ／ＫＤ／ｔ
で算出され、
第２の特徴値算出部は、Ｒ１／Ｌｉ１に基づいて、前記第２の特徴値を算出し、
前記光量決定部は、前記第２の特徴値に基づいて、前記光量を個別に調整する、
請求項２乃至５のうち何れか１項に記載の観察装置。
【請求項１１】
前記複数の光源は、
前記狭スペクトル光の波長が１つの前記感度領域のみに含まれる第１の光源群と、
前記狭スペクトル光の波長が２つ以上の前記感度領域に含まれる第２の光源群と、
を含み、
前記第１の光源群に対応する前記第２の特徴値は、前記光源が射出する前記狭スペクトル光の波長を含む前記感度領域を有する前記素子に係る前記Ｒ１／Ｌｉ１であり、
前記第２の光源群に対応する前記第２の特徴値は、前記光源が射出する前記狭スペクトル光の波長を含む前記感度領域を有する前記素子に係る２つ以上の前記Ｒ１／Ｌｉ１の平均値である、
請求項１０に記載の観察装置。
【請求項１２】
前記光量調整部は、前記第１の特徴値に対応した前記光源の光量に関する値が記録された光量決定テーブルをさらに含み、
前記光量決定部は、前記第１の特徴値と前記光量決定テーブルとに基づいて、前記光量を決定する、
請求項２乃至５のうち何れか１項に記載の観察装置。
【請求項１３】
前記光量調整部は、
前記光源間の光量の比を変更する光量比変更動作と、
前記光源間の光量の比を変更せずに全ての光源の光量を一様に変更する全体光量変更動作と
を行い、
前記全体光量変更動作の頻度は、前記光量比変更動作の頻度よりも高い、
請求項５に記載の観察装置。
【請求項１４】
前記第１の特徴値が所定値以下のとき、前記光量決定部は、前記光源の光量を上限に決定する、請求項５に記載の観察装置。
【請求項１５】
全ての前記光源の光量が上限であるとき、前記射出される狭スペクトル光の混合光は、白色である、請求項１４に記載の観察装置。
【請求項１６】
前記光源部が射出する狭スペクトル光の波長数は４以上である、請求項５に記載の観察装置。
【手続補正２】
【補正対象書類名】明細書
【補正対象項目名】０００８
【補正方法】変更
【補正の内容】
【０００８】
前記目的を果たすため、本発明の一態様によれば、観察装置は、所定の波長領域である感度領域に含まれる光を受光したときに光電変換を行って第１の信号を生成する素子であって、前記感度領域が互いに異なる複数種類の前記素子を含み、被写体像に基づく前記第１の信号を含む画像データを生成する撮像部と、互いに波長が異なる狭スペクトル光を射出する複数の光源を含む光源部であって、前記撮像部に含まれる前記複数種類の素子の何れの前記感度領域にも、それぞれ少なくとも１つの前記狭スペクトル光の波長が含まれるように前記狭スペクトル光の波長が設定されている前記光源部と、前記画像データに基づいて、カラー画像を表す表示データを生成する画像処理部と、前記カラー画像の色再現性が高くなるように、前記複数の光源の各々の光量を個別に調整する光量調整部とを具備する。
【手続補正３】
【補正対象書類名】明細書
【補正対象項目名】００７１
【補正方法】変更
【補正の内容】
【００７１】
これらの値に基づいて、第１の半導体レーザ光源１２１の出力値は、
１００［ｍＷ］×２．０＝２００［ｍＷ］
と決定される。第２の半導体レーザ光源１２２の出力値は、
１００［ｍＷ］×０．９０＝９０［ｍＷ］
と決定される。第３の半導体レーザ光源１２３の出力値は、
１００［ｍＷ］×０．５７＝５７［ｍＷ］
と決定される。第４の半導体レーザ光源１２４の出力値は、
１００［ｍＷ］×０．４２＝４２［ｍＷ］
と決定される。このように、調整後の出力値をＬ２、調整前の出力値をＬ１、基準値をＳ、第２の特徴値をＣ２としたときに、調整後の出力値Ｌ２は、
Ｌ２＝Ｌ１×Ｓ／Ｃ２
で表される。
なお、前記基準値は、例えば、撮像素子が有する出力信号のダイナミックレンジの中心値の０．５倍以上１．５倍以下の値でもよい。